(57)【特許請求の範囲】
【請求項１】
台紙と、台紙の一辺に沿って穿設されたルーズリーフバインダー内に綴じ込むための複数の穴と、台紙の他の一辺に設けられた綴じ込み部材と、綴じ込み部材を介して略３６０度回転自在に綴じ込まれたルーズリーフバインダー帳の本体を構成する複数の中紙とを有することを特徴とするバインダー綴じ込み用ノート。
【請求項２】
中紙と略同一の寸法・形状に形成された表紙が綴じ込み部材を介して略３６０度回転自在に綴じ込まれている請求項１記載のバインダー綴じ込み用ノート。
【発明の詳細な説明】
【０００１】
【発明の属する技術分野】
本発明は、ルーズリーフバインダー形式の手帳等に綴じ込んで使用することができるバインダー綴じ込み用ノートに関するものである。
【０００２】
従来、ルーズリーフバインダー形式の手帳は、バインダーにスケジュールや日記を書き込むためのダイアリー用中紙、メモを書き込むためのメモ用中紙、住所を書き込むためのアドレス用中紙等を綴じ込み、不要な中紙を取り除き、また、必要な中紙を新たに追加することにより使用している。
【０００３】
しかしながら、従来のルーズリーフバインダー形式の手帳では、目的のページを開けようとする際、大体の目安をつけてページを開き、その後目的のページが出て来るまで中紙を順に繰って行かなければならず、目的のページに到達するまでに手間と時間を要するものであったため、例えばメモ用中紙に急いでメモを残したい場合など、ページ順に無駄なくメモ用中紙を使うことをせず、偶然最初に開いた空白のメモ用中紙などに記入してしまう結果、メモの発生順とページ順がバラバラになったり、メモを記入してある中紙と中紙の間に何枚もの未使用のメモ用中紙が残ったりしがちであった。
【０００４】
さらに例えばダイアリー用中紙の場合、頻度としては当日（又は本日又は「その日」）のページを見ることが多いだけでなく、今週末とか来週とかのスケジュールの確認や記入のためにも当日（又は本日又は「その日」）のページを起点として目的のページを検索することが多いにも関わらず、同じ日に何度も開ける場合にも、その都度同じ手間と時間をかけて目的のページを捜さなければならなかった。
【０００５】
また、特にダイアリー用中紙は一般に一年ごとに新しい中紙と差し替え、過去のものは手帳から外して記録として保存したいものであるが、このような場合、従来の形式ではダイアリー用中紙はバインダーから外すとバラバラになるため取り扱いが面倒であるだけでなく、順番が入れ代わったり、一部が紛失したりする可能性も少なくなかった。
【０００６】
本発明は以上のような問題点を解決するために、手帳を閉じる際に次回に開ける必要が生じる可能性の高いページを予め設定しておき、次回手帳を開く際に設定したページを速やかに開くことができるようにするとともに、手帳から取り外した状態であっても中紙が一体にまとまっているバインダー綴じ込み用ノートを提供することを目的とする。
【０００７】
本発明は上記目的を達成するためになされたもので、本発明のバインダー綴じ込み用ノートは、台紙と、台紙の一辺に沿って穿設されたルーズリーフバインダー内に綴じ込むための複数の穴と、台紙の他の一辺に設けられた綴じ込み部材と、綴じ込み部材を介して略３６０度回転自在に綴じ込まれたルーズリーフバインダー帳の本体を構成する複数の中紙とを有することを特徴として構成されている。
【０００８】
本発明のバインダー綴じ込み用ノートによれば、手帳に綴じ込んだ状態のまま中紙を綴じ込み部材を中心に回転させることにより、次回最初に開きたい任意のページをバインダー綴じ込み用ノートの露出する表側２面のうちいずれかに位置させて手帳を閉じることができるため、次回手帳を開いた時に非常に簡単に目的のページを見ることができる。また、中紙の差し替えなどの必要からバインダー綴じ込み用ノートを手帳から取り外した場合にも各中紙は綴じ込み部材によって台紙と一体になっているため、バラバラになることがない。
【０００９】
台紙は、ある程度の強度のあるものであればよく、ボール紙、樹脂ボード等を用いることができる。綴じ込み部材は通称スパイラルリングと呼ばれる針金を螺旋状に巻いた螺旋綴じ込み具、通称ツインリングと呼ばれる針金を変則波型に曲げてこれを円筒状に成型したくわえ込み式綴じ込み具など中紙を略３６０度回転自在に綴じ込めるものであればよい。中紙は、ダイアリー用、メモ用、アドレス用等各種のものとすることができる。
【００１０】
本発明のバインダー綴じ込み用ノートを綴じ込むルーズリーフバインダー帳としては、手帳サイズのほか、Ｂ５用紙用、Ａ４用紙用など各種サイズのものとすることができる。また、中紙と略同一の寸法・形状に形成された表紙を綴じ込み部材を介して略３６０度回転自在に綴じることが可能で、この表紙によりバインダー綴じ込み用ノートを単独で保存する際に中紙が露出することによって発生する汚れや傷みを防止することができる。
【００１１】
本発明によるバインダー綴じ込み用ノートの一実施例を図面を参照して説明する。
【００１２】
図１はバインダー綴じ込み用ノートを綴じ込んだ手帳を開いてバインダー綴じ込み用ノートの中紙の偶数ページだけが見えるようにした状態の平面図、図２はバインダー綴じ込み用ノートを綴じ込んだ手帳を開いてバインダー綴じ込み用ノートの中紙の奇数ページだけが見えるようにした状態の平面図、図３はバインダー綴じ込み用ノートを綴じ込んだ手帳を開いてバインダー綴じ込み用ノートの偶数ページと奇数ページを同時に見えるようにした状態の平面図、図４はバインダー綴じ込み用ノートを手帳に綴じ込んだ状態の斜視図である。
【００１３】
図１〜３において、１０はルーズリーフバインダー形式の手帳で、この手帳１０にバインダー綴じ込み用ノート２０が回転自在に綴じ込まれている。手帳１０は、手帳本体１１と、この手帳本体１１に設けられたルーズリーフ用バインダー１２とから成っている。
【００１４】
バインダー綴じ込み用ノート２０は、ボール紙からなる台紙２１が設けられ、この台紙２１はルーズリーフ用バインダー１２に綴じ込まれるために一般に供される単票形式の中紙と略同一の寸法・形状に形成されている。そして、台紙２１の内側(図中左側)の一辺にはバインダー１２に対応した穴２２が複数穿設され、この穴２２により台紙２１がバインダー１２に綴じ込まれている。
【００１５】
台紙２１の穴２２が穿設された側と反対側の一辺には、綴じ込み部材としての螺旋綴じ込み具２３が設けられており（すなわち、横捲り形式）、この螺旋綴じ込み部２３には多数の中紙２４が綴じ込まれている。この中紙２４は、閉じたとき穴２２を塞がないように台紙２１より横幅が若干短くなるように形成されている。
【００１６】
以上のようなバインダー綴じ込み用ノート２０では、図４に示すように、台紙２１がバインダー１２を中心に略１８０度回転するとともに、中紙２４は螺旋綴じ込み具２３を中心に略３６０度回転する。したがって、任意の中紙２４の偶数ページ（螺旋綴じ込み具２３が右側にあるページ）は図１に示すように手帳１０を開いて台紙２１をバインダー１２を中心に右側に回転させれば露出した状態になり、奇数ページ（螺旋綴じ込み具２３が左側にあるページ）は図２に示すように手帳１０を開いて台紙２１をバインダー１２を中心に左側に回転させれば露出した状態になる。そして、偶数ページの場合であっても奇数ページの場合であっても中紙２４に対しては台紙２１を下敷きにした状態で書き込みができる。
【００１７】
その上で、手帳をしまう時には偶数ページであっても奇数ページであってもこれを露出させた状態(図１または図２の状態)のまま手帳１０を閉じる。すると、次回手帳を開いて前回書き込みをした中紙２４を見ようとする際、それが偶数ページである場合なら単に台紙２１をバインダー１２を中心に右側に回転させた状態にするだけ、それが奇数ページである場合なら左側へ回転させた状態にするだけで前回書き込んだページが露出した状態になり、速やかに見ることができる。
【００１８】
図５は本発明のバインダー綴じ込み用ノートの他の実施例の開いた状態の平面図である。
【００１９】
この図に示すバインダー綴じ込み用ノート３０は、ボール紙からなる台紙３１が設けられ、この台紙３１はルーズリーフ用バインダー１２に綴じ込まれるために一般に供される単票形式の中紙と略同一の寸法・形状に形成されている。そして、台紙３１の内側（図中左側）の一辺にはバインダー１２に対応した穴３２が複数穿設されている。
【００２０】
台紙３１の穴３２が穿設された辺側と直交する一辺には、綴じ込み部材としての螺旋綴じ込み具３３が設けられており（すなわち、縦捲り形式）、この螺旋綴じ込み部３３には多数の中紙３４が綴じ込まれている。この中紙３４は、閉じたとき穴２２を塞がないように台紙３１より横幅が若干短くなるように形成されている。また、中紙３４と略同一の寸法・形状に形成されたボール紙からなる表紙３５が螺旋綴じ込み具３３に回転自在に綴じ込まれている。
【００２１】
前記図１〜図４の実施例では、横捲り形式のバインダー綴じ込み用ノート２０のみを綴じ込んだが、これに限られるものでなく、図５に示す縦捲り形式のバインダー綴じ込み用ノート３０も同時に綴じ込んでもよく、また、従来綴じ込まれていた単票形式の中紙を同時に綴じ込んでもよい。
【００２２】
本発明のバインダー綴じ込み用ノートは、多数の中紙の中から希望するページを露出した状態にしてルーズリーフバインダーに綴じておけるものなので、ルーズリーフバインダーを開いた際に極めて容易に目的のページが見られる。
【００２３】
また、ルーズリーフバインダーから取り外しても一冊としてまとまっているので、保存及び管理を確実にすることができる。
【図面の簡単な説明】
【図１】  本発明によるバインダー綴じ込み用ノートを綴じ込んだ手帳を開いて任意の中紙の偶数ページが見えるようにした状態の平面図である。
【図２】  本発明によるバインダー綴じ込み用ノートを綴じ込んだ手帳を開いて任意の中紙の奇数ページが見えるようにした状態の平面図である。
【図３】  本発明によるバインダー綴じ込み用ノートを綴じ込んだ手帳を開いて任意の中紙の偶数ページとそれに続く奇数ページを同時に見えるようにした状態の平面図である。
【図４】  本発明のバインダー綴じ込み用ノートを手帳に綴じ込んだ状態の斜視図である。
【図５】  本発明によるバインダー綴じ込み用ノートの他の実施例の中紙を開いた状態の平面図である。
【符号の説明】
１０：手帳
１１：手帳本体
１２：ルーズリーフバインダー
２０、３０：バインダー綴じ込み用ノート
２１、３１：台紙
２２、３２：穴
２３、３３：螺旋綴じ込み具
２４、３４：中紙
３５：表紙
【図１】
0004334628.tif 000002
【図２】
0004334628.tif 000003
【図３】
0004334628.tif 000004
【図４】
0004334628.tif 000005
【図５】
0004334628.tif 000006